(57)【要約】【課題】タイムラグによる違和感のない操作性を備え、消費電力を低減することが可能なフォーカス操作装置および該フォーカス操作装置を備えたレンズシステムを提供すること。【解決手段】レンズ装置と、フォーカス操作装置と、通信手段と、を含むレンズシステムであって、レンズシステムは、レンズ装置の被写界深度を取得する被写界深度取得手段を有し、フォーカス操作装置は、ユーザーが操作する操作部材と、該操作部材の位置を検出する操作位置検出手段と、前記被写界深度と前記操作部材の操作状態に基づいて、省電力モードと通常モードを切り替える動作モード切替手段と、を有することを特徴とする。【選択図】図１
2019020535.tif 000002
【特許請求の範囲】
【請求項１】
レンズ装置と、フォーカス操作装置と、通信手段と、を含むレンズシステムであって、
レンズシステムは、レンズ装置の被写界深度を取得する被写界深度取得手段を有し、
フォーカス操作装置は、ユーザーが操作する操作部材と、該操作部材の位置を検出する操作位置検出手段と、前記被写界深度と前記操作部材の操作状態に基づいて、省電力モードと通常モードを切り替える動作モード切替手段と、を有することを特徴とするレンズシステム。
【請求項２】
前記動作モード切替手段は、前記被写界深度が所定の値より大きいとき、かつ、前記操作部材が操作されていないとき、前記フォーカス操作装置の動作モードを省電力モードへ移行することを特徴とする請求項１に記載のレンズシステム。
【請求項３】
前記動作モード切替手段は、前記被写界深度が所定の値以下のとき、または、前記操作部材が操作されているとき、前記フォーカス操作装置の動作モードを通常モードへ復帰することを特徴とする請求項１又は請求項２に記載のレンズシステム。
【請求項４】
前記所定の値は、任意に設定することが可能であることを特徴とする請求項１乃至請求項３の何れか一項に記載のレンズシステム。
【請求項５】
前記フォーカス操作装置は、前記フォーカス操作装置に電源が投入されてから、前記操作部材が操作された操作量を記憶する操作量記憶手段を有し、前記所定の値は、記憶された該操作量に基づいて設定されることを特徴とする請求項１乃至請求項３の何れか一項に記載のレンズシステム。
【請求項６】
前記所定の値は、あらかじめ決められた前記操作部材の操作角度に基づいて設定されることを特徴とする請求項１乃至請求項３の何れか一項に記載のレンズシステム。
【請求項７】
レンズ装置に接続されるフォーカス操作装置であって、
該レンズ装置の被写界深度を取得する被写界深度取得手段と、ユーザーが操作する操作部材と、該操作部材の位置を検出する操作位置検出手段と、前記被写界深度と前記操作部材の操作状態に基づいて、省電力モードと通常モードを切り替える動作モード切替手段と、を有することを特徴とするフォーカス操作装置。
【発明の詳細な説明】
【技術分野】
【０００１】
本発明は、フォーカス操作装置およびフォーカス操作装置によってフォーカスを駆動することができるレンズ装置からなるレンズシステムに関し、特にフォーカス操作装置およびフォーカス操作装置を備えたレンズシステムに関する。
【背景技術】
【０００２】
従来、放送用途のレンズシステムでは、レンズ装置本体の操作リングを手動で動かすほか、レンズ装置本体とは別に備えられるフォーカス操作装置によってフォーカスレンズを駆動することができるものがある。そして、このフォーカス操作装置は、接続されるレンズ装置から電源が供給される。また、レンズ装置は、接続されるカメラ装置から電源が供給される。カメラ装置がバッテリを電源としているような、電源が限られた運用形態においては、カメラ装置やレンズ装置の消費電力を少しでも減らすことが求められている。
【０００３】
一般的に、省電力化のために、ユーザーが操作しない状態が一定の時間経過すると、自動的に電源をオフにしたり、ほとんどの機能を制限して、消費電力を最小限にしたりする電子機器が知られている。
【０００４】
特許文献１には、電子機器の操作、無操作を判定し、低消費電力状態と通常動作状態に切り替える技術が開示されている。
【先行技術文献】
【特許文献】
【０００５】
【特許文献１】特開２００３−１２５２４６号公報
【発明の概要】
【発明が解決しようとする課題】
【０００６】
また、フォーカスレンズを駆動するために、ユーザーに操作されるフォーカス操作装置には、常にユーザーの操作をレンズ装置へ伝えるために、常に電力が供給されている。
【０００７】
フォーカス操作装置においても、従来技術のような、省電力化のために一定時間経過し省電力モードへ移行し、ユーザーの操作を検知したことをもって、通常モードに復帰させるだけでは、復帰するまでに発生するタイムラグのために、操作性の低下が懸念される。
【０００８】
そこで、本発明の目的は、タイムラグによる違和感のない操作性を備え、消費電力を低減することが可能なフォーカス操作装置および該フォーカス操作装置を備えたレンズシステムを提供することにある。
【課題を解決するための手段】
【０００９】
上記の目的を達成するために、本発明に係るレンズシステムは、
レンズ装置と、フォーカス操作装置と、通信手段と、を含むレンズシステムであって、
レンズシステムは、レンズ装置の被写界深度を取得する被写界深度取得手段を有し、
フォーカス操作装置は、ユーザーが操作する操作部材と、該操作部材の位置を検出する操作位置検出手段と、前記被写界深度と前記操作部材の操作状態に基づいて、省電力モードと通常モードを切り替える動作モード切替手段と、を有することを特徴とする。
【発明の効果】
【００１０】
本発明によれば、タイムラグによる違和感のない操作性を備え、消費電力を低減することが可能なフォーカス操作装置および該フォーカス操作装置を備えたレンズシステムを提供することができる。
【図面の簡単な説明】
【００１１】
【図１】第１および第２および第３の実施例におけるレンズシステムの構成を示すブロック図
【図２】第１の実施例における、動作モード切替処理を説明するフローチャート
【図３】第１の実施例における、動作モード切替処理を説明するフローチャート
【図４】第２の実施例における、動作モード切替処理を説明するフローチャート
【図５】第２の実施例における、動作モード切替処理を説明するフローチャート
【図６】第３の実施例における、動作モード切替処理を説明するフローチャート
【発明を実施するための形態】
【００１２】
以下に、本発明の好ましい実施の形態を、添付の図面に基づいて詳細に説明する。
【実施例１】
【００１３】
以下、図１から図３を参照して、本発明の第１の実施例による、操作性を損なわずに消費電力の低減が可能なフォーカス操作装置とレンズ装置からなるレンズシステムについて説明する。
【００１４】
図１は、本発明の実施形態に係るレンズ装置およびフォーカス操作装置の構成を示すブロック図である。
【００１５】
レンズ装置３００は、駆動装置１００と、レンズ鏡筒２００とから構成される。
【００１６】
駆動装置１００は、レンズ鏡筒２００が有する、アイリス操作リング２０１、ズーム操作リング２０２、フォーカス操作リング２０３の駆動および位置検出を行う。これら各操作リング２０１〜２０３が回動することにより、各操作リングの位置（回転位置）に応じて、図示しないズームレンズ群、フォーカスレンズ群、アイリス機構の光学状態が変化し、焦点距離、被写体距離、絞り値が変化する。
【００１７】
駆動装置１００は、各操作リング２０１〜２０３を駆動するために、アイリスモータ１０１、ズームモータ１０２、フォーカスモータ１０３を有している。ＣＰＵ１３０は、アイリスドライバ１０４、ズームドライバ１０５、フォーカスドライバ１０６を介して、アイリスモータ１０１、ズームモータ１０２、フォーカスモータ１０３に駆動信号を出力する。それにより、各操作リング２０１〜２０３を駆動する。
【００１８】
さらに、各操作リング２０１〜２０３の位置を検出するための手段として、アイリス位置検出部１０７、ズーム位置検出部１０８、フォーカス位置検出部１０９が設けられている。アイリス位置検出部１０７、ズーム位置検出部１０８、フォーカス位置検出部１０９は、各出力値（位置信号）を、ＣＰＵ１３０へ出力する。
【００１９】
また、各操作リング２０１〜２０３は、アイリスモータ１０１、ズームモータ１０２、フォーカスモータ１０３により駆動される以外に、後述する所定のスイッチを切り替えることにより、マニュアルで操作することが可能である。
【００２０】
フォーカス操作切替スイッチ１１１は、フォーカス操作リング２０３を、それぞれマニュアルで操作できるように切り替えるためのスイッチである。また、アイリス操作リング２０１、ズーム操作リング２０２をマニュアルで操作できるように切り替えるためのスイッチも存在するが、ここでは図示しない。
【００２１】
フォーカス操作切替スイッチ１１１を操作することにより、図示しないメカ的なクラッチ機構の接続状態が切り替わり、フォーカスモータ１０３の動力をフォーカス操作リング２０３へ伝達するか否かを切り替えることができる。
【００２２】
駆動装置１００は、記憶部１４０を有し、記憶部１４０は、後述するフォーカス操作装置４００の動作モードを切り替えるための判断に用いる被写界深度の閾値を保持する。ＣＰＵ１３０は、後述する処理により得られるレンズ装置３００の現在の被写界深度と、記憶されている被写界深度の閾値とを比較することにより、フォーカス操作装置の動作モードを切り替えるか否かを判断する。
【００２３】
さらに駆動装置１００は、コネクタ１５０を有し、ＣＰＵ１３０は、このコネクタ１５０と、後述するフォーカス操作装置４００が有する操作装置コネクタ４４０とを介して、操作装置ＣＰＵ４３０と、通信を行う。
【００２４】
ＣＰＵ１３０は、通信によってフォーカス操作装置４００から取得する駆動指令値が示す位置に、フォーカスドライバ１０６を介して、フォーカスモータ１０３に駆動信号を出力することにより、フォーカス操作リング２０３を駆動する。また、ＣＰＵ１３０は、フォーカス操作装置４００の動作モードを、省電力モードへ移行させると判断した場合、省電力モード移行コマンドを、各コネクタ１５０、４４０を介して、フォーカス操作装置４００へ送信する。
【００２５】
移行コマンドの送信方法については、通常モードで動作しているときに、フォーカス操作装置４００からフォーカスレンズの駆動指令を取得した後に返信する返信コマンドを送信した後に、移行コマンドを送信しても良い。また、返信コマンドの代わりに、移行コマンドを送信するようにしても良い。
【００２６】
次に、フォーカス操作装置４００の構成について説明する。
【００２７】
フォーカス操作装置４００は、ユーザーにより操作される操作部材であるノブ４１０とノブ位置検出部４２０、操作装置ＣＰＵ４３０、操作装置コネクタ４４０および操作装置記憶部４５０を有する。
【００２８】
ノブ位置検出部４２０は、ノブ４１０の位置を検出し、その検出結果を操作装置ＣＰＵ４３０へ出力する。
【００２９】
操作装置ＣＰＵ４３０は、ノブ位置検出部４２０から取得する値に基づき、駆動指令値を生成し、操作装置コネクタ４４０を介してレンズ装置３００に出力する。
【００３０】
また、フォーカス操作装置４００は、操作装置コネクタ４４０を介して、レンズ装置３００より電源の供給を受けることにより、所定の動作をする。
【００３１】
操作装置ＣＰＵ４３０は、動作モードとして、通常モードと省電力モードを有している。ユーザーがノブ４１０を操作することによりフォーカスレンズを駆動させるときは、通常モードで動作する。通常モードのときは、フォーカス操作装置４００とレンズ装置３００との間で、常に通信を行い、操作装置ＣＰＵ４３０で生成される駆動指令値をレンズ装置３００へ送信する。
【００３２】
一方、ユーザーの操作がなく、かつレンズ装置３００の光学状態がフォーカス操作装置４００を省電力モードへ移行させる条件であるとき、ＣＰＵ４３０は、後述する処理を除き、通常モードの処理を行わずに、消費電力が少ない状態で動作する。フォーカス操作装置４００が省電力モードであるとき、ＣＰＵ４３０は、レンズ装置３００との通信は行わない。
【００３３】
レンズ装置３００から省電力モード移行コマンドを取得すると、操作装置ＣＰＵ４３０は、省電力オードに移行する。そして、ノブ４１０を操作されるか、レンズ装置３００の光学状態が、通常モードで動作する条件となったとき、通常モードへ復帰する。
【００３４】
ここで、上述した光学状態について説明する。上記光学状態とは、レンズ装置３００の被写界深度のことを示しており、焦点距離が長い方が浅くなり、また、絞り値が開放側の方が浅くなる。
【００３５】
次に、図２および図３のフローチャートを用いて、フォーカス操作装置４００の省電力モードと通常モードの切替方法について、詳細に説明する。
【００３６】
図２のフローチャートは、レンズ装置３００のＣＰＵ１３０が実行する処理であり、図３のフローチャートは、フォーカス操作装置４００の操作装置ＣＰＵ４３０が実行する処理を示している。
【００３７】
まず、図２のステップＳ１０１において、ＣＰＵ１３０は、アイリス位置検出部１０７およびズーム位置検出部１０９より取得する結果に応じた絞り値および焦点距離に基づいて、被写界深度Ｄｎｏｗを算出する。被写界深度の算出方法については、公知の計算式から求める方法であっても、絞り値や焦点距離と被写界深度の関係をテーブルで保持しておき、取得した現在の絞り値や焦点距離から被写界深度を求める方法であっても良い。
【００３８】
次にステップＳ１０２に進み、フォーカス操作装置４００の動作モードが通常モードであるとき、ステップＳ１０３に進む。通常モードのときは、フォーカス操作装置４００から駆動指令が出力されるので、該駆動指令の取得の有無によって、判断が可能となる。
【００３９】
ステップＳ１０３において、ステップＳ１０１で取得した被写界深度Ｄｎｏｗと記憶部１４０に記憶されている被写界深度の閾値ＴｈＤ１を比較し、Ｄｎｏｗの方が大きいとき、ステップＳ１０４に進む。
【００４０】
一方、ステップＳ１０３において、ＤｎｏｗがＴｈＤ１以下であるとき、フローチャートの先頭に戻る。ここで、被写界深度が浅いときは、ユーザーがノブ４３０を操作することによってレンズ装置３００のフォーカスが駆動することによる、ピント位置の変化が映像として認識されやすい。一方、被写界深度が深いときは、ユーザーの同様な操作によってフォーカスが駆動しても、ピント位置の変化が映像として認識されにくい。したがって、閾値ＴｈＤ１は、ユーザーが素早くノブを操作したときであっても、ピントの変化量が、映像として認識できないほどの被写界深度であることが望ましい。例えば至近から無限遠までピントが合う所謂パンフォーカス状態に該当する被写界深度であっても良い。
【００４１】
一方、ステップＳ１０２において、フォーカス操作装置４００の動作モードが省電力モードであるとき、ステップＳ１０５に進む。ステップＳ１０５において、ステップＳ１０１で取得した被写界深度Ｄｎｏｗと記憶部１４０に記憶されている被写界深度の閾値ＴｈＤ１を比較し、Ｄｎｏｗの方が小さいとき、ステップＳ１０６に進む。
【００４２】
ステップＳ１０６において、ＣＰＵ１３０は、復帰指令をフォーカス操作装置４００へ送信する。例えば、フォーカス操作装置４００の動作モードが省電力モードのとき、ユーザーによって、ズームレンズ群が望遠側に駆動されたり、アイリス機構が、開放側に駆動されたりすることで、被写界深度Ｄｎｏｗが閾値ＴｈＤ１よりも浅くなると、この処理となる。
【００４３】
次に、図３のフローチャートを用いて、フォーカス操作装置４００の処理について説明する。
【００４４】
まず、図３のステップＳ２０１において、ノブ位置検出部４２０にて取得した値（Ｐ１）を操作装置記憶部４５０に記憶する。
【００４５】
続いて、ステップＳ２０２において、Ｓ２０１と同様に、ノブ位置検出部４２０にて取得した値（Ｐ２）を操作装置記憶部４５０に記憶し、ステップＳ２０３に進む。
【００４６】
ステップＳ２０３において、ステップＳ２０１、Ｓ２０２で記憶した値Ｐ１およびＰ２を比較し、それぞれ異なる値のとき、ステップＳ２０９に進む。Ｓ２０９において、Ｐ１の値をＰ２の値で上書きし、ステップＳ２１０へ進み、Ｐ２に基づいてフォーカスを駆動するための指令値を出力する。すなわち、ステップＳ２０３では、ユーザーによってノブ４１０の操作がされたか否かを判断する。ユーザーによって通常のフォーカス操作が行われている場合には、ステップＳ２０１からＳ２０３に続いて、ステップＳ２０９、Ｓ２１０へ進む。その後は、ステップＳ２０２、Ｓ２０３、Ｓ２０９、Ｓ２１０の順に処理を繰り返すこととなる。
【００４７】
一方、ステップＳ２０３において、Ｐ１およびＰ２が一致したとき、すなわち、ユーザーによりノブ操作がなされていないと判断したとき、ステップＳ２０４に進む。
【００４８】
次に、ステップＳ２０４において、レンズ装置３００より、省電力モード移行コマンドを取得したとき、ステップＳ２０５へ進み、省電力モード移行処理を行い、省電力モードへ移行する。
【００４９】
その後、ステップＳ２０６に進み、レンズ装置３００より復帰指令を取得したときは、ステップＳ２０８に進み、通常モード復帰処理を行い、フローチャートの先頭に戻ることにより、通常モードで動作する。
【００５０】
一方、ステップＳ２０６において、復帰指令を取得しないときは、ステップＳ２０７へ進む。ステップＳ２０７において、ノブ操作があったとき、ステップＳ２０８に進み、通常モードへ復帰し、フローチャートの先頭へ戻る。
【００５１】
ステップＳ２０６、Ｓ２０７においては、操作装置ＣＰＵ４１０は、省電力モードであるので、特に動作することはないが、通信ラインの電圧レベルの変化や、位置検出部の信号ラインの電圧レベルの変化があるか否かの判断のみを行う。
【００５２】
ステップＳ２０７にて、ノブ操作があったときに、ステップＳ２０８に進み、通常モードへ復帰する。このとき、ノブ操作を行ってから、ステップＳ２０１からＳ２０３、Ｓ２１０を経て実際に、レンズ装置３００のフォーカスが駆動するまで、タイムラグが発生することとなる。しかしながら、省電力モードに移行する条件として、被写界深度が所定の閾値よりも深いときとしているので、ここで発生するタイムラグをユーザーが認識することはない。
【００５３】
また、ステップＳ２０４にて、フォーカス操作装置４００がレンズ装置３００から省電力モード移行コマンドを取得する際も、その前の処理であるステップＳ２０３にて、ノブ操作されているか否かを判別することとしている。したがって、レンズ装置３００の被写界深度の状態としては、省電力モードに移行可能であっても、ユーザーの操作を優先して判別することで、ユーザーの操作性を損なわない構成としている。
【００５４】
以上、説明したように、本実施例によれば、レンズ装置の被写界深度およびフォーカス操作装置のノブ操作状態に応じて、動作モードを切り替えることで、操作性を損なわずに、消費電力の低減が可能なフォーカス操作装置およびレンズシステムを提供することができる。
【実施例２】
【００５５】
以下、再度図１および図４、５を参照して、本発明の第２の実施例による、操作性を損なわずに消費電力の低減が可能なフォーカス操作装置とレンズ装置からなるレンズシステムについて説明する。
【００５６】
第１の実施例では、動作モードを切り替える際に用いた被写界深度の閾値をあらかじめ記憶部に保持した値とした。本実施例においては、ユーザーの使用状況に応じて、被写界深度の閾値を適した値に変更することで、より操作性の良い、フォーカス操作装置およびレンズシステムの例について説明する。本実施例においても、第１の実施例で説明した図１に示す構成と変わらないので、基本的な構成の説明は省略する。
【００５７】
操作装置４００の操作装置ＣＰＵ４３０は、ノブ位置検出部４２０から取得する値に基づき、指令値を生成し、操作装置コネクタ４４０を介してレンズ装置３００に出力することに加え、次の処理を実施する。
【００５８】
操作装置ＣＰＵ４３０は、ノブ位置検出部４２０から取得する値を用いて、単位時間あたりに操作される操作量を算出し、その操作量に基づき、被写界深度の閾値を決定する。
【００５９】
また、操作装置ＣＰＵ４３０は、決定した被写界深度の閾値を、レンズ装置３００に出力する。
【００６０】
レンズ装置３００のＣＰＵ１３０は、駆動指令値とともに取得する被写界深度の閾値を、動作モード決定の判断に用いる閾値として、記憶部１４０に記憶する。
【００６１】
次に、図４、５のフローチャートを用いて、本実施例における、フォーカス操作装置４００の処理について、説明する。
【００６２】
図４は、フォーカス操作装置４００の操作装置ＣＰＵ４３０が実行する処理であり、第１の実施例で説明した図３のフローチャートと同じ処理には同じ符号を与えている。
【００６３】
まず、図４のステップＳ２０１において、ノブ位置検出部４２０にて取得した値（Ｐ１）を操作装置記憶部４５０に記憶する。
【００６４】
続いて、ステップＳ２０２において、Ｓ２０１と同様に、ノブ位置検出部４２０にて取得した値（Ｐ２）を操作装置記憶部４５０に記憶し、ステップＳ２０３に進む。
【００６５】
ステップＳ２０３において、ステップＳ２０１、Ｓ２０２で記憶した値Ｐ１およびＰ２を比較し、それぞれ異なる値のとき、ステップＳ３００に進む。ステップＳ３００において、被写界深度の閾値ＴｈＤ２を決定するが、詳しい説明は後述する。ステップＳ３００において、被写界深度の閾値ＴｈＤ２を決定した後、ステップＳ２０９に進む。
【００６６】
Ｓ２０９において、Ｐ１の値をＰ２の値で上書きし、ステップＳ２１０へ進み、Ｐ２に基づいてフォーカスを駆動するための駆動指令値を出力し、ステップＳ３１０に進む。ステップＳ３１０では、ステップＳ３００で算出した閾値ＴｈＤ２を、レンズ装置３００へ送信する。
【００６７】
すなわち、ステップＳ２０３では、ユーザーによってノブ４１０の操作がなされたか否かを判断する。ユーザーによって通常のフォーカス操作が行われている場合には、ステップＳ２０１からＳ２０３に続いて、ステップＳ３００、Ｓ２０９、Ｓ２１０を経てステップＳ３１０へ進む。その後は、ステップＳ２０２、Ｓ２０３、Ｓ３００、Ｓ２０９、Ｓ２１０、Ｓ３１０の順に処理を繰り返すこととなる。
【００６８】
ここで、ステップＳ３００の閾値ＴｈＤ２を算出する処理について、図５のフローチャートを用いて説明する。
【００６９】
図５のステップＳ３０１において、Ｐ１とＰ２の差を単位時間で割ることにより、単位時間当たりの操作量ＤＰを算出する。続いてステップＳ３０２において、単位時間当たりの操作量ＤＰを操作装置記憶部４５０に記憶する。上述したように、ステップＳ３００は、ユーザーにより通常のフォーカス操作が行われている間繰り返される。
【００７０】
ステップＳ３０２においては、電源投入時からユーザーによってノブ４１０が操作される度に算出される操作量ＤＰにから、平均値を算出し、平均値ＤＰｍｅａｎとして記憶される。平均値ＤＰｍｅａｎについては、例えば、複数回分記憶されているうちの、最新３回分の操作量ＤＰから求めるようにしても良いし、これまで記憶してきた値全てを用いた平均値としても良い。
【００７１】
続いて、ステップＳ３０３において、平均値ＤＰｍｅａｎに基づいて、閾値ＴｈＤ２を決定する。閾値ＴｈＤ２は、ステップＳ３０１で取得した単位時間あたりの操作量の平均値ＤＰｍｅａｎに相当するピント移動量に基づき決定される値である。閾値ＴｈＤ２は、単位時間あたりの操作量に対応するピント移動量がユーザーに認識されない被写界深度であれば良く、例えば、ピント移動量の５倍に相当する被写界深度としても良い。
【００７２】
次に、図４のフローチャートに戻り、ステップＳ２０３において、Ｐ１およびＰ２が一致したとき、すなわち、ユーザーによりノブ４１０が操作されていないと判断したとき、ステップＳ２０４に進む。
【００７３】
ステップＳ２０４において、レンズ装置３００より、省電力モード移行コマンドを取得したとき、ステップＳ２０５へ進み、省電力モード移行処理を行い、省電力モードへ移行する。
【００７４】
その後の、ステップＳ２０６からＳ２０８については、第１の実施例の図３のフローチャートで説明した内容とまったく同じ処理である。そのため、詳細な説明を省略するが、ステップＳ２０７において、ノブ４１０の操作があったとき、ステップＳ２０８に進み、通常モードへ復帰し、フローチャートの先頭へ戻る。ノブ４１０の操作があったときに、通常モードへ復帰する際、ノブ４１０の操作後、ステップＳ２０１からＳ２０３、Ｓ２１０を経て実際に、レンズ装置３００のフォーカスが駆動するまで、タイムラグが発生することとなる。しかしながら、第１の実施例と同様に、省電力モードに移行する条件として、被写界深度が所定の閾値よりも深いときとしているので、ここで発生するタイムラグをユーザーが認識することはない。
【００７５】
ここで、レンズ装置３００側の処理について説明する。上述したように、ＣＰＵ１３０は、駆動指令値とともに取得する閾値ＴｈＤ２を、動作モード決定の判断に用いる閾値として、記憶部１４０に記憶する。ＣＰＵ１３０における、フォーカス操作装置４００の動作モードを切り替える処理については、第１の実施例にて説明した、図２のステップＳ１０４およびＳ１０５で使用した閾値ＴｈＤ１の代わりに、都度更新される閾値ＴｈＤ２を用いることとなる。
【００７６】
以上、説明したように、本実施例によれば、レンズ装置の被写界深度およびフォーカス操作装置のノブ操作状態に応じて、動作モードを切り替えることで、操作性を損なわずに、消費電力の低減が可能なフォーカス操作装置およびレンズシステムを提供することができる。
【００７７】
さらに、本実施例によれば、ユーザーによるノブ操作時に、ユーザーの単位時間あたりの操作量を取得する処理を繰り返すことにより、常に最新の状態の被写界深度の閾値ＴｈＤ２をＣＰＵ１３０での動作モード選択の判断に使用することができる。
【００７８】
そのため、フォーカス操作装置を操作するユーザー一人ひとりの操作のくせや使用状況に応じた、使い勝手のよい、消費電力の低減が可能なフォーカス操作装置およびレンズシステムを提供することができる。
【００７９】
本実施例においては、図５のステップＳ３００において、ユーザーの単位時間あたりの操作量の平均値ＤＰｍｅａｎに基づき被写界深度の閾値ＴｈＤ２を決定する例について説明したが、これに限らない。ユーザーがノブ４１０を操作する都度、算出される操作量ＤＰの最大値ＤＰｍａｘに基づき、被写界深度の閾値ＴｈＤ２を決定するようにしても良い。算出した操作量ＤＰが、ひとつ前に算出した操作量ＤＰよりも大きい場合に値を更新するようにすれば実現することができる。
【００８０】
また、本実施例においては、同じく、図５のステップＳ３００で、ユーザーによるノブ４１０操作時に、都度、ユーザーの単位時間あたりの操作量を取得し、被写界深度の閾値ＴｈＤ２を決定する処理を繰り返す例について説明したが、これに限らない。例えば、レンズシステムの電源が投入されてから十分時間がたった場合には、最後に決定したＴｈＤ２を採用することとし、それ以降の処理では、ステップＳ３００で説明した被写界深度の閾値ＴｈＤ２を決定する処理を省くようにしても良い。これにより、フォーカス操作装置４００の処理を減らすことができ、より消費電力の低減効果が期待できる。
【実施例３】
【００８１】
以下、再度図１および図６を参照して、本発明の第３の実施例による、操作性を損なわずに、消費電力の低減が可能なフォーカス操作装置について説明する。
【００８２】
第１および第２の実施例においては、レンズ装置３００側のＣＰＵ１３０によって、フォーカス操作装置４００の動作モードを切り替えるか否かの判断を行う例について説明した。本実施例においては、フォーカス操作装置４００側の操作装置ＣＰＵ４３０によって、動作モードを切り替えるか否かの判断を行う例について説明する。
【００８３】
また、第１および第２の実施例では、レンズ装置３００のＣＰＵ１３０が被写界深度Ｄｎｏｗを算出する例について説明した。本実施例においては、レンズ装置３００は、フォーカス操作装置４００に対し、被写界深度を求めるために必要な情報（焦点距離、絞り値）を送信し、フォーカス操作装置４００の操作装置ＣＰＵ４３０で被写界深度を算出する。さらに、フォーカス操作装置４００の操作装置記憶部４５０には、後述する処理で動作モードを切り替えるか否かの判断に使用する被写界深度の閾値ＴｈＤ３が格納されており、操作装置ＣＰＵ４３０にて、動作モードを切り替えるか否かを判断する。
【００８４】
また、フォーカス操作装置４００は、不図示のタイマーを有し、省電力モードのとき、タイマーが所定の時間経過すると通常モードへ復帰する点が、第１および第２の実施例と異なる。操作装置ＣＰＵ４３０は、ユーザーによりノブ４１０を操作されるほか、上述のタイマーが所定時間経過すると通常モードへ復帰する。
【００８５】
次に、図６のフローチャートを用いて、フォーカス操作装置４００の処理について説明する。
【００８６】
図６は、フォーカス操作装置４００の操作装置ＣＰＵ４３０が実行する処理であり、第１の実施例で説明した図３のフローチャートと同じ処理には同じ符号を与えている。
【００８７】
まず、図６のステップＳ２０１において、ノブ位置検出部４２０にて取得した値（Ｐ１）を操作装置記憶部４５０に記憶する。
【００８８】
続いて、ステップＳ２０２において、Ｓ２０１と同様に、ノブ位置検出部４２０にて取得した値（Ｐ２）を操作装置記憶部４５０に記憶し、ステップＳ２０３に進む。
【００８９】
ステップＳ２０３において、ステップＳ２０１、Ｓ２０２で記憶した値Ｐ１およびＰ２を比較し、それぞれ異なる値のとき、ステップＳ２０９に進む。Ｓ２０９において、Ｐ１の値をＰ２の値で上書きし、ステップＳ２１０へ進み、Ｐ２に基づいてフォーカスを駆動するための指令値を出力する。第１の実施例の図３で説明した処理と同様に、ユーザーによって通常のフォーカス操作が行われている場合には、ステップＳ２０１からＳ２０３に続いて、ステップＳ２０９、Ｓ２１０へ進む。その後は、ステップＳ２０２、Ｓ２０３、Ｓ２０９、Ｓ２１０の順に処理を繰り返すこととなる。
【００９０】
一方、ステップＳ２０３において、Ｐ１およびＰ２が一致したとき、すなわち、ユーザーによりノブ操作がなされていないと判断したとき、ステップＳ４０１に進む。
【００９１】
ステップＳ４０１において、レンズ装置３００より送信される被写界深度を求めるために必要な情報（焦点距離、絞り値）を取得し、ステップＳ４０２に進む。
【００９２】
続いて、ステップＳ４０２において、被写界深度Ｄｎｏｗを算出する。被写界深度の算出方法については、公知の計算式から求める方法であっても、絞り値や焦点距離と被写界深度の関係をテーブルで保持しておき、取得した現在の絞り値や焦点距離から被写界深度を求める方法であっても良い。
【００９３】
その後、ステップＳ４０３において、ステップＳ４０２で取得した被写界深度Ｄｎｏｗと操作装置記憶部４５０に記憶されている被写界深度の閾値ＴｈＤ３を比較し、Ｄｎｏｗの方が大きいとき、ステップＳ４０４に進む。一方、ステップＳ４０３において、ＤｎｏｗがＴｈＤ３以下であるとき、ステップＳ２０２に戻る。すなわち、ユーザーによりノブが操作されていない場合においても、被写界深度が浅いと判断したときは、通常モードで動作することとなる。
【００９４】
ステップＳ４０４に進むと、省電力モード移行処理を行い、省電力モードへ移行し、ステップＳ４０５に進む。
【００９５】
ステップＳ４０５では、不図示のタイマーを開始させ、ステップＳ２０７に進む。
【００９６】
ステップＳ２０７において、ノブ操作があったとき、ステップＳ２０８に進み、通常モードへ復帰し、フローチャートの先頭へ戻る。ノブ操作があったときに、通常モードへ復帰する際、ノブ操作を行ってから、ステップＳ２０１からＳ２０３、Ｓ２１０を経て実際に、レンズ装置３００のフォーカスが駆動するまで、タイムラグが発生することとなる。しかしながら、第１の実施例同様に、省電力モードに移行する条件として、被写界深度が所定の閾値よりも深いときとしているので、ここで発生するタイムラグをユーザーが認識することはない。
【００９７】
一方、ステップＳ２０７において、ノブ操作がないときは、ステップＳ４０６へ進み、タイマーが所定の時間経過した後、ステップＳ４０７へ進み、通常モードへ復帰する。
【００９８】
その後、ステップＳ２０２に戻り、上述の処理を繰り返す。
【００９９】
このように、タイマーによって、通常モードへ復帰したということは、ユーザーによるノブ操作は発生しておらず、操作装置記憶部４５０に記憶してあるノブ位置Ｐ１およびＰ２は同値であるため、ステップＳ２０１の処理を実行する必要がない。
【０１００】
以上、説明したように、本実施例によれば、レンズ装置の被写界深度およびフォーカス操作装置のノブ操作状態に応じて、動作モードを切り替えることで、操作性を損なわずに、消費電力の低減が可能なフォーカス操作装置を提供することができる。
【０１０１】
フォーカス操作装置４００側の操作装置ＣＰＵ４３０によって、動作モードを切り替えるか否かの判断を行うため、レンズ装置３００側の構成が比較的シンプルであっても、操作性を損なわずに、消費電力の低減が可能なフォーカス操作装置を提供することができる。
また、上述の閾値ＴｈＤ３は、第１の実施例で説明したように、ユーザーが素早くノブを操作したときであっても、ピントの変化量が、映像として認識できないほどの被写界深度であることが望ましい。例えば至近から無限遠までピントが合う所謂パンフォーカス状態に該当する被写界深度であっても良い。
【０１０２】
また、一定のノブ操作角をあらかじめ決めておき、ユーザーによりその操作角の分、操作された操作量に相当するピント移動量に基づき決定される値を閾値ＴｈＤ３としても良い。
【０１０３】
以上、本発明の好ましい実施形態について説明したが、本発明はこれらの実施形態に限定されず、その要旨の範囲内で種々の変形及び変更が可能である。例えば、レンズ装置３００のフォーカス操作切替ＳＷ１１１が、マニュアル設定となっているときは、フォーカス操作装置４００による操作は行わないので、レンズ装置３００からフォーカス操作装置４００へ省電力モード移行コマンドを送るようにしても良い。または、フォーカス操作切替ＳＷ１１１の設定情報をフォーカス操作装置４００へ送る様にし、フォーカス操作装置４００側で、設定情報に応じて、動作モードを切り替える処理を追加しても良い。
【０１０４】
また、レンズ鏡筒と、駆動装置が別々の装置としている例について説明したが、この構成に限定しない。例えば、レンズ鏡筒が電動により駆動され、そのレンズ位置が取得でき、フォーカス操作装置が接続できるレンズ装置であれば、本発明を適用できる。
【０１０５】
また、第１から第３の実施例において、説明した、レンズ装置の被写界深度、かつ、フォーカス操作装置のノブ操作状態に応じて、動作モードを切り替える方法を組み合わせることも可能である。例えば、第１から第３の実施例にて説明したそれぞれの閾値ＴｈＤ１〜ＴｈＤ３の決め方も、組み合わせることが可能である。例えば、第２の実施例にて説明した、ユーザーによるノブ操作時に、都度、単位時間あたりの操作量を取得し、被写界深度の閾値ＴｈＤ２を更新する処理を、第３の実施例に適用することが可能である。
【０１０６】
第１から第３の実施例において、被写界深度の閾値について、通常モードから省電力モードへ切り替える場合と、省電力モードから通常モードに切り替える場合とで、同じ閾値を用いているが、この限りではない。例えば、通常モードから省電力モードへ切り替える場合の閾値よりも、省電力モードから通常モードに切り替える場合の閾値を大きい値としても良い。
【０１０７】
また、省電力モードから通常モードに切り替える場合に、所定の閾値以下となったときに、復帰信号を送信しているが、次のようにしても良い。取得した被写界深度が、浅くなる方向へ変化することを検出したとき、省電力モードから通常モードに切り替えることとしても良い。このようにすることで、通常モードへ復帰するタイミングが早くなり、より操作性を向上させることが期待できる。
【符号の説明】
【０１０８】
１００  駆動装置、１０４，１０５，１０６  ドライバ、
１０７，１０８，１０９  位置検出部、１３０  ＣＰＵ、２００  レンズ鏡筒、
２０１  アイリス操作リング、２０２  ズーム操作リング、３００  レンズ装置、
４００  フォーカス操作装置、４１０  ノブ、４２０  ノブ位置検出部、
４３０  操作装置ＣＰＵ（動作モード切替手段）
【図１】
2019020535.tif 000003
【図２】
2019020535.tif 000004
【図３】
2019020535.tif 000005
【図４】
2019020535.tif 000006
【図５】
2019020535.tif 000007
【図６】
2019020535.tif 000008